(57)【特許請求の範囲】
【請求項１】
相手側コネクタ装置に設けられた第１の嵌合部との嵌合状態におかれる第２の嵌合部が設けられた絶縁ハウジングと、
上記第２の嵌合部に配列配置される部分を有して上記絶縁ハウジングに配され、上記第２の嵌合部が上記第１の嵌合部との嵌合状態におかれるとき、上記相手側コネクタ装置に配された複数の第１の導電コンタクトに接続される複数の第２の導電コンタクトと、
上記絶縁ハウジングを部分的に覆う導電性シェルと、
該導電性シェルに設けられた一対の支持機構により両端部が支持されて上記絶縁ハウジング対して回動可能とされた操作レバーと、
を備えて構成され、
上記操作レバーが、上記第２の嵌合部が上記第１の嵌合部との嵌合状態におかれるとき回動操作されて、上記両端部の間の連結部が上記相手側コネクタ装置に係合するものとされ、上記導電性シェルに設けられた一対の支持機構の夫々が、上記連結部が上記相手側コネクタ装置に係合する状態におかれた上記操作レバーの端部を、上記連結部が上記相手側コネクタ装置に押し付けられることになる方向に付勢する弾性係合部を備えることを特徴とするコネクタ装置。
【請求項２】
上記一対の支持機構の夫々が、上記弾性係合部に加えて、該弾性係合部により付勢された上記操作レバーの端部についての位置規制を行う位置規制部を備えることを特徴とする請求項１記載のコネクタ装置。
【請求項３】
上記一対の支持機構が、上記絶縁ハウジングにおける該絶縁ハウジングの長手方向の両端部に対応する上記導電性シェルの両端部に夫々設けられることを特徴とする請求項１記載のコネクタ装置。
【請求項４】
上記操作レバーの両端部が、上記絶縁ハウジングの長手方向において該絶縁ハウジングの端部から中央部に向かう向きに伸び、相互対向するものとされることを特徴とする請求項２記載のコネクタ装置。
【請求項５】
上記操作レバーの両端部が、該操作レバーにおける上記連結部により連結される一対の屈曲部の一部を成すことを特徴とする請求項４記載のコネクタ装置。
【請求項６】
上記第２の嵌合部が上記第１の嵌合部との嵌合状態におかれるとき、上記操作レバーにおける上記連結部に加えて、上記屈曲部も上記相手側コネクタ装置に係合するものとされることを特徴とする請求項５記載のコネクタ装置。
【請求項７】
上記絶縁ハウジングを部分的に覆う導電性カバーを備え、該カバーの一部分が上記導電性シェルに設けられた一対の支持機構の夫々を覆うことを特徴とする請求項１記載のコネクタ装置。
【発明の詳細な説明】
【技術分野】
【０００１】
本願の特許請求の範囲に記載された発明は、ケーブルやフレキシブル印刷配線基板（ＦＰＣ）等が連結されたもとで、例えば、ソリッド印刷配線基板等の主基板に取り付けられた相手側コネクタ装置との嵌合状態におかれ、ケーブルやＦＰＣ等と相手側コネクタ装置との電気的接続を果すコネクタ装置に関する。
【背景技術】
【０００２】
複数の比較的細いケーブルや比較的小型なフレキシブル印刷配線基板を、各種の電気部品が取り付けられるソリッド印刷配線基板等の主基板に電気的に接続するにあたっては、主基板に取り付けられて主基板との電気的接続がなされる基板側コネクタ装置とされる第１のコネクタ装置と、複数のケーブルあるいはフレキシブル印刷配線基板が連結されて、第１のコネクタ装置との嵌合状態におかれるケーブル等側コネクタ装置とされる第２のコネクタ装置と、が用いられることが多い。第１のコネクタ装置からみると、第２のコネクタ装置は第１のコネクタ装置にとっての相手側コネクタ装置となり、第２のコネクタ装置からみると、第１のコネクタ装置は第２のコネクタ装置にとっての相手側コネクタ装置となる。
【０００３】
斯かる場合、第１のコネクタ装置は、例えば、嵌合凹部とされる嵌合部が設けられる絶縁ハウジングを備え、その絶縁ハウジングにおける嵌合部に、各々の一端部が端子部とされて主基板に電気的に接続される複数の導電コンタクトの部分が配列配置される。さらに、第１のコネクタ装置は、外部からの電磁波ノイズ対策のため絶縁ハウジングを部分的に覆う金属板材製の導電性シェルを備えたものとされる。また、第１のコネクタ装置の相手側コネクタ装置となる第２のコネクタ装置は、第１のコネクタ装置の絶縁ハウジングに設けられた嵌合部に嵌合する、例えば、嵌合凸部とされる嵌合部が設けられる絶縁ハウジングを備え、その嵌合部に、複数のケーブル等との電気的接続がなされる複数の導電コンタクトの部分が配列配置される。さらに、第２のコネクタ装置も、外部からの電磁波ノイズ対策のため絶縁ハウジングを部分的に覆う金属板材製の導電性シェルや導電性カバーを備えたものとされる。そして、第２のコネクタ装置の絶縁ハウジングに設けられた嵌合部が第１のコネクタ装置の絶縁ハウジングに設けられた嵌合部との嵌合状態におかれるとき、第２のコネクタ装置における複数の導電コンタクトが、第１のコネクタ装置における複数の導電コンタクトに夫々接触接続されて、第１のコネクタ装置と第２のコネクタ装置との電気的接続状態がとられる。
【０００４】
上述のような基板側コネクタ装置とされる第１のコネクタ装置及びケーブル等側コネクタ装置とされる第２のコネクタ装置にあっては、例えば、第１のコネクタ装置が主基板に取り付けられたもとで、複数のケーブルあるいはフレキシブル印刷配線基板が連結された第２のコネクタ装置の絶縁ハウジングに設けられた嵌合部が、第１のコネクタ装置の絶縁ハウジングに設けられた嵌合部との嵌合状態におかれるとき、その嵌合状態が適正に維持されて、第１のコネクタ装置と第２のコネクタ装置との電気的接続状態が安定に維持されることが要求される。斯かる第１のコネクタ装置及び第２のコネクタ装置のように、各々の絶縁ハウジングに設けられた嵌合部が相互嵌合状態におかれて使用される二つのコネクタ装置について、夫々の嵌合部の嵌合状態が適正に維持されるようになすための方策が、従来、幾つか見られる。
【０００５】
このような方策の一つとして、各々の絶縁ハウジングに嵌合部が設けられた第１及び第２のコネクタ装置のうちの一方を、その絶縁ハウジングに対して回動可能とされた操作レバーあるいは操作ロッドを備えるものとし、第１のコネクタ装置の絶縁ハウジング及び第２のコネクタ装置の絶縁ハウジングに夫々設けられた嵌合部が相互嵌合状態におかれるとき、第１及び第２のコネクタ装置のうちの一方が備える操作レバーあるいは操作ロッドを回動操作して、相手側コネクタ装置となる第１及び第２のコネクタ装置のうちの他方の絶縁ハウジングと係合させ、それにより、第１及び第２のコネクタ装置のうちの一方の絶縁ハウジングに設けられた嵌合部から第１及び第２のコネクタ装置のうちの他方の絶縁ハウジングに設けられた嵌合部が抜脱する事態を阻止しようとするものが提案されている（例えば、特許文献１参照。）。
【０００６】
上述のような従来提案された方策が適用されたコネクタ装置にあっては、第１のコネクタ（雌型コネクタ）の絶縁ハウジングに設けられた嵌合部と相手側コネクタとなる第２のコネクタ（雄型コネクタ）の絶縁ハウジングに設けられた嵌合部とが相互嵌合するもとで、第１のコネクタがその絶縁ハウジングに突設されたピンによって回動可能に軸支された両端部を有する操作レバーを備えるものとされている。操作レバーは、両端部が連結部（連結桿）によって連結されて、全体として略コ字状を成すように形成される。そして、第１のコネクタの絶縁ハウジングに設けられた嵌合部と第２のコネクタの絶縁ハウジングに設けられた嵌合部とが相互嵌合状態におかれるとき、第１のコネクタに備えられた操作レバーが、回動操作されて、その連結部が第２のコネクタの絶縁ハウジングにおける嵌合部とは反対側の端部に係止部を乗り越えて係合し、それによって、第２のコネクタの絶縁ハウジングに設けられた嵌合部の第１のコネクタの絶縁ハウジングに設けられた嵌合部からの抜脱が阻止されるようにされている。
【０００７】
【特許文献１】実開昭６２−１７８４６９号公報（第３〜６頁、図１〜４）
【発明の開示】
【発明が解決しようとする課題】
【０００８】
前述の従来提案されているコネクタ装置にあっては、第１のコネクタに備えられ、第１及び第２のコネクタの夫々の絶縁ハウジングに設けられた嵌合部が相互嵌合状態におかれるとき、その連結部を第２のコネクタの絶縁ハウジングにおける嵌合部とは反対側の端部に係止部を乗り越えて係合させる操作レバーは、その両端が、絶縁ハウジングに突設されたピンによって回動可能に軸支されて、位置固定されたものとされている。そのため、操作レバーの連結部が、第２のコネクタの絶縁ハウジングにおける嵌合部とは反対側の端部に係止部を乗り越えて係合したとき、その連結部と第２のコネクタの絶縁ハウジングとの間に隙間が形成されてしまい、その結果、相互嵌合状態におかれた第１及び第２のコネクタの各々の嵌合部が、当該相互嵌合状態を適正に維持することができないものとされ、第１のコネクタと第２のコネクタとの電気的接続状態が安定に維持されないことになる虞がある。
【０００９】
また、上述の操作レバーの連結部と第２のコネクタの絶縁ハウジングとの間に形成される隙間を考慮して、第１のコネクタと第２のコネクタとの電気的接続状態が安定に維持されるようにするには、第１及び第２のコネクタの各々の嵌合部における有効相互嵌合長を比較的長くすることが必要とされ、第１及び第２のコネクタの夫々の小型化に支障がもたらされる。さらに、操作レバーの連結部と第２のコネクタの絶縁ハウジングとの間に隙間が形成されると、操作レバーが“がたつく”ことになってしまい、異音が発生することになるという不都合も生じる。
【００１０】
斯かる点に鑑み、本願の特許請求の範囲に記載された発明は、絶縁ハウジングと、それに設けられて複数の導電コンタクトが配置され、相手側コネクタ装置の絶縁ハウジングに設けられた相手側嵌合部との嵌合状態をとるものとされて、複数の導電コンタクトに相手側コネクタ装置に配された複数の導電コンタクトとの接続状態をとらせる嵌合部と、当該嵌合部の相手側嵌合部との嵌合状態を維持すべく、相手側コネクタ装置に係合する操作レバーとが設けられて構成され、相手側コネクタ装置に係合した操作レバーと相手側コネクタ装置との間に隙間が形成されてしまう状態を確実に回避することができ、それにより、全体の小型化を図ることができるとともに、嵌合部の相手側嵌合部との嵌合状態が適正に維持されず、相手側コネクタ装置との電気的接続状態が安定に維持されないことになる事態、さらには、操作レバーが“がたつく”ことになる事態をまねく虞が極めて小であるコネクタ装置を提供する。
【課題を解決するための手段】
【００１１】
本願の特許請求の範囲における請求項１から請求項７までのいずれかに記載された発明（以下、本発明という。）に係るコネクタ装置は、相手側コネクタ装置に設けられた第１の嵌合部との嵌合状態におかれる第２の嵌合部が設けられた絶縁ハウジングと、第２の嵌合部に配列配置される部分を有して絶縁ハウジングに配され、第２の嵌合部が第１の嵌合部との嵌合状態におかれるとき、相手側コネクタ装置に配された複数の第１の導電コンタクトに接続される複数の第２の導電コンタクトと、絶縁ハウジングを部分的に覆う導電性シェルと、導電性シェルに設けられた一対の支持機構により両端部が支持されて絶縁ハウジング対して回動可能とされた操作レバーとを備えて構成され、操作レバーが、第２の嵌合部が第１の嵌合部との嵌合状態におかれるとき回動操作されて、両端部の間の連結部が相手側コネクタ装置に係合するものとされ、導電性シェルに設けられた一対の支持機構の夫々が、連結部が相手側コネクタ装置に係合する状態におかれた操作レバーの端部を、連結部が相手側コネクタ装置に押し付けられることになる方向に付勢する弾性係合部を備えるものとされる。
【００１２】
特に、本発明に係るコネクタ装置のうちの請求項３に記載されたものにあっては、操作レバーの両端部を支持する一対の支持機構が、絶縁ハウジングにおけるその長手方向の両端部に対応する導電性シェルの両端部に夫々設けられるものとされる。
【００１３】
上述のように構成される本発明に係るコネクタ装置においては、絶縁ハウジングに設けられた第２の嵌合部が相手側コネクタ装置の第１の嵌合部との嵌合状態におかれるとき、両端部とそれらの間の連結部とを含んで形成されて、その両端部が導電性シェルに設けられた一対の支持機構により回動可能に支持された操作レバーが、回動操作されてその連結部が相手側コネクタ装置に係合する状態におかれる。その際、操作レバーの両端部を支持する一対の支持機構の夫々において、それに備えられた弾性係合部が、操作レバーの端部を、操作レバーの連結部が相手側コネクタ装置に押し付けられることになる方向に付勢する。
【００１４】
このような弾性係合部を備え、操作レバーの両端部を支持する一対の支持機構は、例えば、絶縁ハウジングにおけるその長手方向の両端部に対応する導電性シェルの両端部に夫々設けられる。
【発明の効果】
【００１５】
上述の本発明に係るコネクタ装置にあっては、絶縁ハウジングに設けられた第２の嵌合部が相手側コネクタ装置の第１の嵌合部との嵌合状態におかれるとき、両端部の間の連結部が相手側コネクタ装置に係合する状態におかれる操作レバーの両端部が、その両端部を支持する一対の支持機構に備えられた弾性係合部により、操作レバーの連結部が相手側コネクタ装置に押し付けられることになる方向に付勢されることにより、少なくとも操作レバーの連結部の部分と相手側コネクタ装置との間に隙間が形成されないことになる。従って、本発明に係るコネクタ装置によれば、相手側コネクタ装置に係合した操作レバーと相手側コネクタ装置との間に隙間が形成されてしまう状態を確実に回避することができ、それにより、全体の小型化を図ることができるとともに、嵌合部の相手側嵌合部との嵌合状態が適正に維持されず、相手側コネクタ装置との電気的接続状態が安定に維持されないことになる事態、さらには、連結部が相手側コネクタ装置に係合する状態におかれた操作レバーが“がたつく”ことになる事態をまねく虞が極めて小とされることになる。
【発明を実施するための最良の形態】
【００１６】
本発明を実施するための最良の形態は、以下に述べられる本発明についての実施例をもって説明される。
【実施例】
【００１７】
図１は、本発明に係るコネクタ装置の一例を、それに連結された複数のケーブルと共に示す。
【００１８】
図１において、本発明に係るコネクタ装置の一例を成すコネクタ装置１１は、例えば、複数の同軸ケーブル１２が電気的に連結されたもとで、例えば、ソリッド印刷配線基板とされる基板にそれに設けられた電気回路構成部との電気的接続がなされて取り付けられた、基板側コネクタ装置とされる相手側コネクタ装置に嵌合する、ケーブル等側コネクタ装置として用いられるものとされている。そして、コネクタ装置１１は、合成樹脂等の絶縁材料によって形成された絶縁ハウジング１３, 外部からの電磁波ノイズ対策のため絶縁ハウジング１３の外面部を部分的に覆うものとされた、例えば、各々が弾性を有した金属板材料が屈曲されて成る導電性シェル１４及び導電性カバー１５、及び、金属棒状部材が屈曲されて形成され、絶縁ハウジング１３に対して回動可能に配された操作レバー１６を備えている。
【００１９】
絶縁ハウジング１３には、相手側コネクタ装置（基板側コネクタ装置）に設けられた嵌合凹部との嵌合状態におかれる、絶縁ハウジング１３の長手方向（矢印Ｌにより示される方向、以下、Ｌ方向という。）に伸びる嵌合凸部１７が設けられている。また、絶縁ハウジング１３には、各々が、例えば、弾性を有した金属材料が屈曲されて形成された複数の導電コンタクト１８が、夫々の一部分が嵌合凸部１７にＬ方向に沿って配列配置されるものとされて配されている。
【００２０】
複数の導電コンタクト１８の夫々における嵌合凸部１７に配置された部分は、嵌合凸部１７が相手側コネクタ装置に設けられた嵌合凹部との嵌合状態におかれるとき、その相手側コネクタ装置に配されて基板との電気的接続がなされた複数の導電コンタクトのうちの対応するものに接触接続され、それにより、複数の導電コンタクト１８が相手側コネクタ装置における複数の導電コンタクトに夫々接続されることになる。また、複数の導電コンタクト１８の夫々には、複数の同軸ケーブル１２のうちの対応するものの信号導体が接続される。複数の同軸ケーブル１２の夫々は、その信号導体が導電コンタクト１８に接続されるともに、その接地導体が導電性シェル１４及び導電性カバー１５に接触接続されて、コネクタ装置１１に電気的に連結される。
【００２１】
操作レバー１６は、一対の屈曲腕部１９ａ及び１９ｂが、Ｌ方向に伸びる連結部２０によって連結された構成を有しており、一対の屈曲腕部１９ａ及び１９ｂの夫々の端部が導電性シェル１４におけるＬ方向の両端部によって回動可能に支持されている。それにより、操作レバー１６が絶縁ハウジング１３に対して回動可能とされている。操作レバー１６の連結部２０には、操作レバー１６についての回動操作を容易にするための操作タグ２１が取り付けられている。
【００２２】
導電性シェル１４は、絶縁ハウジング１３における図１において下側となる外面（以下、底面という）を部分的に覆うものとされ、また、導電性カバー１５は、絶縁ハウジング１３における図１において上側となる外面（以下、上面という）を部分的に覆うものとされる。コネクタ装置１１についての、複数の同軸ケーブル１２が連結されていず、かつ、導電性カバー１５が取り除かれた状態を示す図２に示されるように、導電性シェル１４におけるＬ方向の両端部には、操作レバー１６の一対の屈曲腕部１９ａ及び１９ｂの各々の端部、即ち、操作レバー１６の一対の端部２２ａ及び２２ｂを、夫々回動可能に支持する溝状部を形成する支持機構２５ａ及び２５ｂが設けられている。
【００２３】
操作レバー１６の一対の端部２２ａ及び２２ｂは、Ｌ方向において絶縁ハウジング１３の端部から中央部に向かう向きに伸び、相互対向するものとされている。それゆえ、これらの端部２２ａ及び２２ｂを回動可能に支持する支持機構２５ａ及び２５ｂが夫々形成する溝状部も、Ｌ方向に伸びるものとされていて、操作レバー１６は、一対の端部２２ａ及び２２ｂを通るＬ方向に伸びる仮想軸線を回動中心として、絶縁ハウジング１３に対して回動せしめられる。
【００２４】
図２に示される操作レバー１６の端部２２ａ及び導電性シェル１４の一端部に設けられた支持機構２５ａを含む部分を囲む円III 内を拡大してあらわす図３に示されるように、支持機構２５ａが形成する溝状部には、Ｌ方向に直交する方向（矢印Ｓにより示される方向であって、以下、Ｓ方向という。）における一対の対向壁部２３ａ及び２４ａのうちの一方である壁部２３ａに、弾性係合部２６ａが設けられており、また、一対の対向壁部２３ａ及び２４ａのうちの他方である壁部２４ａに、係止部２７ａが設けられている。弾性係合部２６ａは、支持機構２５ａが形成する溝状部内に配された操作レバー１６の端部２２ａに弾性係合し、その端部２２ａを、Ｓ方向において壁部２４ａ及び係止部２７ａに向かう向きに付勢する。それにより、操作レバー１６の端部２２ａは、壁部２４ａに押し付けられる方向に付勢されることになり、係止部２７ａによって係止される。
【００２５】
操作レバー１６の端部２２ｂを支持する導電性シェル１４の他端部に設けられた支持機構２５ｂが形成する溝状部にも、Ｓ方向における一対の対向壁部２３ｂ及び２４ｂのうちの一方である壁部２３ｂに、弾性係合部２６ｂが設けられており、また、一対の対向壁部２３ｂ及び２４ｂのうちの他方である壁部２４ｂに、係止部２７ｂが設けられている。弾性係合部２６ｂは、支持機構２５ｂが形成する溝状部内に配された操作レバー１６の端部２２ｂに弾性係合し、その端部２２ｂを、Ｓ方向において壁部２４ｂ及び係止部２７ｂに向かう向きに付勢する。それにより、操作レバー１６の端部２２ｂは、壁部２４ｂに押し付けられる方向に付勢されることになり、係止部２７ｂによって係止される。
【００２６】
導電性カバー１５は、図１に示されるように絶縁ハウジング１３における上面を部分的に覆うものとされるとき、そのＬ方向の両端部２９ａ及び２９ｂが、導電性シェル１４におけるＬ方向の両端部に設けられて、操作レバー１６の一対の端部２２ａ及び２２ｂを夫々回動可能に支持する溝状部を形成する支持機構２５ａ及び２５ｂを、夫々覆うものとされる。そして、導電性カバー１５におけるＬ方向の両端部２９ａ及び２９ｂには、係合部３０ａ及び３０ｂが夫々設けられていて、係合部３０ａは、導電性シェル１４における支持機構２５ａに設けられた係合部２８ａに係合し、また、係合部３０ｂは、導電性シェル１４における支持機構２５ｂに設けられた係合部２８ｂに係合する。このようにして、導電性カバー１５の両端部２９ａ及び２９ｂが溝状部を形成する支持機構２５ａ及び２５ｂを夫々覆うことにより、支持機構２５ａ及び２５ｂの夫々が形成する溝状部内への塵埃や異物の侵入が防止されるとともに、操作レバー１６の一対の端部２２ａ及び２２ｂについての支持機構２５ａ及び２５ｂから離隔する方向への移動が規制される。
【００２７】
なお、導電性カバー１５における両端部２９ａ及び２９ｂには、係合部３０ａ及び３０ｂに夫々Ｓ方向において対向する二つの係合部（図に現れていない。）が設けられていて、それらは、導電性シェル１４における支持機構２５ａ及び２５ｂに設けられた、係合部２８ａ及び２８ｂに夫々Ｓ方向において対向する二つの係合部（図に現れていない。）に係合する。
【００２８】
また、導電性カバー１５には、その両端部２９ａ及び２９ｂの近傍に、絶縁ハウジング１３の嵌合凸部１７が相手側コネクタ装置に設けられた嵌合凹部との嵌合状態におかれるとき、相手側コネクタ装置の導電性シェルに設けられた係合孔に係合する係合突起３１ａ及び３１ｂが設けられている。係合突起３１ａ及び３１ｂの夫々は、導電性カバー１５の一部が形成する弾性片に形成されていて、相手側コネクタ装置の導電性シェルに設けられた係合孔との係合及びその係合孔からの離脱を、弾性片の弾性変形を伴って行う。
【００２９】
図４（斜視図）及び図５（正面図）は、コネクタ装置１１が嵌合する相手側コネクタ装置の一例を成す基板側コネクタ装置４０を示す。
【００３０】
図４及び図５において、基板側コネクタ装置４０は、例えば、ソリッド印刷配線基板とされる基板にそれに設けられた電気回路構成部との電気的接続がなされて取り付けられた状態のもとで、コネクタ装置１１が嵌合するものとされている。そして、基板側コネクタ装置４０は、合成樹脂等の絶縁材料によって形成された絶縁ハウジング４１、及び、外部からの電磁波ノイズ対策のため絶縁ハウジング４１の外面部の殆どを覆うものとされた、例えば、弾性を有した金属板材料が屈曲されて成る導電性シェル４２を備えている。
【００３１】
絶縁ハウジング４１における図５における下方側の面からは、基板側コネクタ装置４０が取り付けられる基板に設けられた透孔に嵌合する位置決め用の突起４１ａ及び４１ｂが突出している。
【００３２】
絶縁ハウジング４１及び導電性シェル４２には、コネクタ装置１１に設けられた嵌合凸部１７との嵌合状態におかれる、絶縁ハウジング４１の長手方向（矢印Ｌ’により示される方向であって、以下、Ｌ’方向という。）に伸びる嵌合凹部４３が設けられている。また、絶縁ハウジング４１には、各々が、例えば、弾性を有した金属材料が屈曲されて形成された複数の導電コンタクト４４が、Ｌ’方向に沿って配列配置されるものとされて配されている。そして、複数の導電コンタクト４４の夫々における絶縁ハウジング４１からその外方に突出する一端は、基板側コネクタ装置４０が取り付けられる基板に設けられた配線パターン部に接続される接続端子を形成している。また、複数の導電コンタクト４４の夫々における他端側の部分は、嵌合凹部４３内に配され、コネクタ装置１１の嵌合凸部１７が嵌合凹部４３との嵌合状態におかれるとき、コネクタ装置１１に配された複数の導電コンタクト１８のうちの対応するものが接触接続されるものとされる。
【００３３】
導電性シェル４２には、Ｌ’方向における両端部４５ａ及び４５ｂに、コネクタ装置１１の絶縁ハウジング１３に設けられた嵌合凸部１７が絶縁ハウジング４１に設けられた嵌合凹部４３との嵌合状態におかれるとき、コネクタ装置１１の導電性カバー１５に設けられた係合突起３１ａ及び３１ｂが夫々係合する係合孔４６ａ及び４６ｂが設けられている。
【００３４】
また、導電性シェル４２には、配列配置された複数の導電コンタクト４４を挟む位置において絶縁ハウジング４１からその外部に突出し、基板側コネクタ装置４０が取り付けられる基板に設けられた接地接続部に接続される接地接続端子４７ａ及び４７ｂが設けられている。
【００３５】
さらに、導電性シェル４２における端部４５ａには、コネクタ装置１１の絶縁ハウジング１３に設けられた嵌合凸部１７が絶縁ハウジング４１に設けられた嵌合凹部４３との嵌合状態におかれるとき、コネクタ装置１１に備えられて回動操作された操作レバー１６における屈曲腕部１９ａ及び連結部２０に夫々係合する弾性係合部４８ａ及び４９ａが設けられている。同様に、導電性シェル４２における端部４５ｂにも、コネクタ装置１１の絶縁ハウジング１３に設けられた嵌合凸部１７が絶縁ハウジング４１に設けられた嵌合凹部４３との嵌合状態におかれるとき、コネクタ装置１１に備えられて回動操作された操作レバー１６における屈曲腕部１９ｂ及び連結部２０に夫々係合する弾性係合部４８ｂ及び４９ｂが設けられている。
【００３６】
このような基板側コネクタ装置４０は、複数の導電コンタクト４４の夫々の一端が、基板側コネクタ装置４０が取り付けられる基板に設けられた配線パターン部に接続され、また、接地接続端子４７ａ及び４７ｂが、基板側コネクタ装置４０が取り付けられる基板に設けられた接地接続部に接続されて、基板にそれに設けられた電気回路構成部との電気的接続がなされて取り付けられた状態におかれる。
【００３７】
上述のコネクタ装置１１及び基板側コネクタ装置４０は、図６に示されるように、基板側コネクタ装置４０が、例えば、ソリッド印刷配線基板とされる基板にそれに設けられた電気回路構成部との電気的接続がなされて取り付けられた状態のもとで、コネクタ装置１１の絶縁ハウジング１３に設けられた嵌合凸部１７が、基板側コネクタ装置４０の絶縁ハウジング４１及び導電性シェル４２に設けられた嵌合凹部４３に、Ｓ方向に沿った移動を伴う差込みがなされて嵌合する状態におかれ、それにより、コネクタ装置１１が基板側コネクタ装置４０に嵌合するものとされる。
【００３８】
図６に示されるように、コネクタ装置１１の絶縁ハウジング１３に設けられた嵌合凸部１７が、基板側コネクタ装置４０の絶縁ハウジング４１及び導電性シェル４２に設けられた嵌合凹部４３に差し込まれて嵌合する状態におかれるときには、コネクタ装置１１における複数の導電コンタクト１８が基板側コネクタ装置４０における複数の導電コンタクト４４に夫々接触接続される。また、コネクタ装置１１の導電性カバー１５に設けられた係合突起３１ａ及び３１ｂが、基板側コネクタ装置４０の導電性シェル４２の両端部４５ａ及び４５ｂに設けられた係合孔４６ａ及び４６ｂに夫々係合し、それによって、導電性カバー１５と導電性シェル４２とが相互に接触接続されて、導電性カバー１５が導電性シェル４２を通じて接地接続されるとともに、コネクタ装置１１における嵌合凸部１７の基板側コネクタ装置４０における嵌合凹部４３との嵌合状態が保たれる。このようにして、コネクタ装置１１における複数の導電コンタクト１８が基板側コネクタ装置４０における複数の導電コンタクト４４に夫々接触接続され、また、コネクタ装置１１の導電性カバー１５に設けられた係合突起３１ａ及び３１ｂが、基板側コネクタ装置４０の導電性シェル４２の両端部４５ａ及び４５ｂに設けられた係合孔４６ａ及び４６ｂに夫々係合することにより、コネクタ装置１１と基板側コネクタ装置４０との電気的接続状態がとられる。
【００３９】
また、コネクタ装置１１の絶縁ハウジング１３に設けられた嵌合凸部１７が、基板側コネクタ装置４０の絶縁ハウジング４１及び導電性シェル４２に設けられた嵌合凹部４３に差し込まれて嵌合する状態におかれた際には、コネクタ装置１１の操作レバー１６が、回動操作される。この回動操作により、操作レバー１６における屈曲腕部１９ａ及び１９ｂと操作タグ２１を伴った連結部２０とが、コネクタ装置１１の導電性シェル１４に設けられた支持機構２５ａ及び２５ｂの夫々が形成する溝状部により支持された一対の端部２２ａ及び２２ｂを通るＬ方向に伸びる仮想軸線を回動中心として、絶縁ハウジング１３に対し、図６における VII−VII 線断面を示す図７において矢印Ａにより示されるコネクタ装置１１側から基板側コネクタ装置４０側への方向に回動せしめられる。そして、操作レバー１６が、その連結部２０が、基板側コネクタ装置４０の導電性シェル４２に設けられた弾性係合部４８ａ及び４８ｂに、各々における突出部を乗り越えて係合するものとされるとともに、その屈曲腕部１９ａ及び１９ｂが、基板側コネクタ装置４０の導電性シェル４２に設けられた弾性係合部４９ａ及び４９ｂに、各々における突出部を乗り越えて夫々係合するものとされ、その結果、図６に示される位置をとるものとされる。
【００４０】
なお、操作レバー１６の連結部２０が弾性係合部４８ａ及び４８ｂに各々における突出部を乗り越えて係合する動作は、弾性係合部４８ａ及び４８ｂの夫々に代えて弾性を有さない係合部が設けられたとしても、操作レバー１６の一対の端部２２ａ及び２２ｂが、夫々弾性係合部２６ａ及び２６ｂの付勢力に抗する方向に移動して、弾性係合部２６ａ及び２６ｂに撓みを生じさせることにより、行われ得るものとされる。従って、弾性係合部４８ａ及び４８ｂの夫々に代えて弾性を有さない係合部が設けられてもよいが、弾性係合部４８ａ及び４８ｂが設けられることにより、操作レバー１６の連結部２０が弾性係合部４８ａ及び４８ｂに各々における突出部を乗り越えて係合する際に生じる弾性係合部２６ａ及び２６ｂにおける撓みが比較的小とされ、弾性係合部２６ａ及び２６ｂが塑性変形を生じ難いものとされる利点が得られる。
【００４１】
操作レバー１６が図６に示される位置をとるもとにあっては、前述のように、コネクタ装置１１の導電性シェル１４に設けられた支持機構２５ａが形成する溝状部内において、壁部２３ａに設けられた弾性係合部２６ａが、操作レバー１６の端部２２ａをＳ方向において壁部２４ａに向かう向きに付勢している。それにより、図７に示されるように、操作レバー１６の端部２２ａは、壁部２４ａに押し付けられる方向に付勢されて、壁部２４ａに設けられた係止部２７ａによって係止されるものとされる。同様に、コネクタ装置１１の導電性シェル１４に設けられた支持機構２５ｂが形成する溝状部内においても、壁部２３ｂに設けられた弾性係合部２６ｂが、操作レバー１６の端部２２ｂをＳ方向において壁部２４ｂに向かう向きに付勢している。それにより、操作レバー１６の端部２２ｂは、壁部２４ｂに押し付けられる方向に付勢されて、壁部２４ｂに設けられた係止部２７ｂによって係止されるものとされる。即ち、係止部２７ａ及び２７ｂの夫々は、弾性係合部２６ａ及び２６ｂによって付勢された端部２２ａ及び２２ｂの夫々についての位置規制を行う位置規制部を構成している。
【００４２】
このようにして、操作レバー１６の端部２２ａが壁部２４ａに押し付けられる方向に付勢されて係止部２７ａによって係止される状態におかれるとともに、操作レバー１６の端部２２ｂが壁部２４ｂに押し付けられる方向に付勢されて係止部２７ｂによって係止される状態におかれることにより、図７に示される位置をとる操作レバー１６の連結部２０は、Ｓ方向において基板側コネクタ装置４０に向かう向きの付勢力を受け、図７に示されるように、基板側コネクタ装置４０の導電性シェル４２に設けられた弾性係合部４８ａを介して絶縁ハウジング４１に押し付けられるとともに、基板側コネクタ装置４０の導電性シェル４２に設けられた弾性係合部４８ｂを介して絶縁ハウジング４１に押し付けられることになる。その結果、図７に示される位置をとる操作レバー１６は、少なくとも、その連結部２０の部分と基板側コネクタ装置４０との間には隙間が生じないことになる。従って、基板側コネクタ装置４０に係合した操作レバー１６と基板側コネクタ装置４０との間に隙間が形成されてしまう状態が確実に回避されることになり、それによって、コネクタ装置１１及び基板側コネクタ装置４０が小型化に適するものとされるとともに、コネクタ装置１１の絶縁ハウジング１３に設けられた嵌合凸部１７の基板側コネクタ装置４０の絶縁ハウジング４１及び導電性シェル４２に設けられた嵌合凹部４３との嵌合状態が適正に維持されず、コネクタ装置１１の基板側コネクタ装置４０との電気的接続状態が安定に維持されないことになる事態、さらには、連結部２０が基板側コネクタ装置４０に係合する状態におかれた操作レバー１６が“がたつく”ことになる事態をまねく虞が極めて小とされることになる。
【００４３】
さらに、操作レバー１６の屈曲腕部１９ａ及び１９ｂが、基板側コネクタ装置４０の導電性シェル４２に設けられた弾性係合部４９ａ及び４９ｂに、各々における突出部を乗り越えて夫々係合するものとされることも、操作レバー１６が“がたつく”ことになる状態の回避に貢献する。
【００４４】
このようにして、操作レバー１６が図６及び図７に示される位置をとるものとされることにより、コネクタ装置１１の絶縁ハウジング１３に設けられた嵌合凸部１７の、基板側コネクタ装置４０の絶縁ハウジング４１及び導電性シェル４２に設けられた嵌合凹部４３との嵌合状態が、適正に安定に維持されて、コネクタ装置１１と基板側コネクタ装置４０との電気的接続状態が安定に維持されることになる。
【００４５】
次に、コネクタ装置１１の絶縁ハウジング１３に設けられた嵌合凸部１７が、基板側コネクタ装置４０の絶縁ハウジング４１及び導電性シェル４２に設けられた嵌合凹部４３から抜脱されるにあたっては、図６及び図７に示される位置をとるものとされた操作レバー１６が、回動操作されて、図７において矢印Ｂにより示される基板側コネクタ装置４０側からコネクタ装置１１側への方向（図７において矢印Ａにより示される方向とは反対の方向）に回動せしめられる。
【００４６】
その際、図８に示されるように、操作レバー１６の連結部２０が基板側コネクタ装置４０の導電性シェル４２に設けられた弾性係合部４８ａ及び４８ｂの夫々における突出部を乗り越えるときには、操作レバー１６の端部２２ａが、コネクタ装置１１の導電性シェル１４に設けられた支持機構２５ａが形成する溝状部内において、壁部２３ａに設けられた弾性係合部２６ａの付勢力に抗して、壁部２４ａから壁部２３ａに向かう方向に移動せしめられて、操作レバー１６の端部２２ａと壁部２４ａとの間に隙間が形成され、また、操作レバー１６の端部２２ｂが、コネクタ装置１１の導電性シェル１４に設けられた支持機構２５ｂが形成する溝状部内において、壁部２３ｂに設けられた弾性係合部２６ｂの付勢力に抗して、壁部２４ｂから壁部２３ｂに向かう方向に移動せしめられて、操作レバー１６の端部２２ｂと壁部２４ｂとの間に隙間が形成される。
【００４７】
そして、操作レバー１６は、その連結部２０の弾性係合部４８ａ及び４８ｂとの係合を解除し、さらに、その屈曲腕部１９ａ及び１９ｂの基板側コネクタ装置４０の導電性シェル４２に設けられた弾性係合部４９ａ及び４９ｂとの係合を解除して、図１に示される位置をとるものとされる。その後、例えば、操作タグ２１が、手指により保持されて、コネクタ装置１１の全体が基板側コネクタ装置４０から離隔する方向に移動せしめられることにより、コネクタ装置１１の絶縁ハウジング１３に設けられた嵌合凸部１７が、基板側コネクタ装置４０の絶縁ハウジング４１及び導電性シェル４２に設けられた嵌合凹部４３から抜脱される。
【００４８】
上述のコネクタ装置１１にあっては、その導電性シェル１４の一端部に設けられる支持機構２５ａが、溝状部を形成し、その溝状部における壁部２３ａに弾性係合部２６ａが設けられるとともに壁部２４ａに係止部２７ａが設けられる構成をとり、また、導電性シェル１４の他端部に設けられる支持機構２５ｂが、溝状部を形成し、その溝状部における壁部２３ｂに弾性係合部２６ｂが設けられるとともに壁部２４ｂに係止部２７ｂが設けられる構成をとるものとされているが、支持機構２５ａ及び２５ｂの夫々は、操作レバー１６の両端部２２ａ及び２２ｂの夫々を回動可能に支持するとともに付勢するための構成として、他の様々な具体的構成をとることができるものである。
【産業上の利用可能性】
【００４９】
以上のような本発明に係るコネクタ装置は、複数の導電コンタクトに相手側コネクタ装置に配された複数の導電コンタクトとの接続状態をとらせる嵌合部と、その嵌合部の相手側コネクタ装置の嵌合部との嵌合状態を維持すべく、相手側コネクタ装置に係合する操作レバーとを備えたもとで、相手側コネクタ装置に係合した操作レバーと相手側コネクタ装置との間に隙間が形成されてしまう状態を確実に回避することができ、それにより、全体の小型化を図ることができるとともに、嵌合部の相手側嵌合部との嵌合状態が適正に維持されず、相手側コネクタ装置との電気的接続状態が安定に維持されないことになる事態、さらには、操作レバーが“がたつく”ことになる事態をまねく虞が極めて小であることになるものとして、様々な電子機器等に広く適用され得るものである。
【図面の簡単な説明】
【００５０】
【図１】本発明に係るコネクタ装置の一例をそれに連結された複数のケーブルと共に示す斜視図である。
【図２】図１に示されるコネクタ装置についての、複数のケーブルが連結されていず、かつ、導電性カバーが取り除かれた状態を示す斜視図である。
【図３】図２に示される円III 内を拡大してあらわす拡大斜視図である。
【図４】本発明に係るコネクタ装置の一例が嵌合する相手側コネクタ装置の一例を成す基板側コネクタ装置を示す斜視図である。
【図５】本発明に係るコネクタ装置の一例が嵌合する相手側コネクタ装置の一例を成す基板側コネクタ装置を示す正面図である。
【図６】図１に示されるコネクタ装置が図４及び図５に示される基板側コネクタ装置に嵌合した状態を示す斜視図である。
【図７】図６における VII−VII 線断面を示す断面図である。
【図８】図１に示されるコネクタ装置が図４及び図５に示される基板側コネクタ装置に嵌合した状態のもとで回動操作される操作レバーの説明に供される断面図である。
【符号の説明】
【００５１】
１１・・・コネクタ装置，  １２・・・同軸ケーブル，  １３，４１・・・絶縁ハウジング，  １４，４２・・・導電性シェル，  １５・・・導電性カバー,   １６・・・操作レバー，  １７・・・嵌合凸部，  １８，４４・・・導電コンタクト，  １９ａ，１９ｂ・・・屈曲腕部，  ２０・・・連結部,   ２１・・・操作タグ，  ２２ａ，２２ｂ・・・（操作レバー１６の）端部，  ２３ａ，２３ｂ，２４ａ，２４ｂ・・・壁部，  ２５ａ，２５ｂ・・・支持機構，  ２６ａ，２６ｂ，４８ａ，４８ｂ，４９ａ，４９ｂ・・・弾性係合部，  ２７ａ，２７ｂ・・・係止部，  ２８ａ，２８ｂ，３０ａ，３０ｂ・・・係合部，  ２９ａ，２９ｂ・・・（導電性カバー１５の）端部，  ３１ａ，３１ｂ・・・係合突起，  ４０・・・基板側コネクタ装置（相手側コネクタ装置），  ４３・・・嵌合凹部，  ４６ａ，４６ｂ・・・係合孔，  ４７ａ，４７ｂ・・・接地接続端子
【図１】
0005071661.tif 000002
【図２】
0005071661.tif 000003
【図３】
0005071661.tif 000004
【図４】
0005071661.tif 000005
【図５】
0005071661.tif 000006
【図６】
0005071661.tif 000007
【図７】
0005071661.tif 000008
【図８】
0005071661.tif 000009